(57)【要約】【課題】蓄電システムを管理するための管理データの伝達を容易とする。【解決手段】実施形態の表示制御装置は、取得手段、生成手段及び制御手段を備える。取得手段は、蓄電システムを管理するための管理データを取得する。生成手段は、取得手段により取得された管理データを復号可能なコードシンボルを生成する。制御手段は、生成手段により生成されたコードシンボルを表示するように表示装置を制御する。【選択図】      図２
2018164379.tif 000002
【特許請求の範囲】
【請求項１】
蓄電システムを管理するための管理データを取得する取得手段と；
前記取得手段により取得された前記管理データを復号可能なコードシンボルを生成する生成手段と；
前記生成手段により生成された前記コードシンボルを表示するように表示装置を制御する制御手段と；
を具備した表示制御装置。
【請求項２】
前記取得手段は、前記蓄電システムの動作状況を表すデータ、前記蓄電システムの操作の履歴を表すデータ、画面表示データ及び前記蓄電システムの仕様を表すデータのうちの少なくとも１つを前記管理データとして取得する；
請求項１に記載の表示制御装置。
【請求項３】
前記生成手段は、前記取得手段により取得された前記管理データの他に、当該管理データの送信先を表した送信先データを復号可能なものとして前記コードシンボルを生成する；
請求項１又は請求項２に記載の表示制御装置。
【請求項４】
前記制御手段は、予め定められた事象が発生したことに応じて、前記コードシンボルを表示するように表示装置を制御する；
請求項１−３のいずれか一項に記載の表示制御装置。
【請求項５】
蓄電池と；
前記蓄電池の充放電を制御する充放電手段と；
前記蓄電池及び前記充放電手段の少なくとも一方を管理するための管理データを取得する取得手段と；
前記取得手段により取得された前記管理データを復号可能なコードシンボルを生成する生成手段と；
前記生成手段により生成された前記コードシンボルを表示するように表示装置を制御する制御手段と；
を具備した蓄電システム。
【請求項６】
表示制御装置における情報処理を行うコンピュータを；
蓄電システムを管理するための管理データを取得する取得手段と；
前記取得手段により取得された前記管理データを復号可能なコードシンボルを生成する生成手段と；
前記生成手段により生成された前記コードシンボルを表示するように表示装置を制御する制御手段と；
をして機能させるためのプログラム。
【発明の詳細な説明】
【技術分野】
【０００１】
本発明の実施形態は、表示制御装置及びそのプログラム、並びに蓄電システムに関する。
【背景技術】
【０００２】
蓄電システムの障害に対しては、数字又はアルファベットからなるエラーコードを表示することにより、どのような障害が発生しているのかを、使用者が認識可能とすることが知られている。
【０００３】
しかしながら、エラーコードが複雑であると、そのエラーコードに基づいて障害の内容を使用者が認識することが困難となる。また、使用者が保守者に修理を依頼するに当たりエラーコードを伝える場合、エラーコードが複雑であると、エラーコードを伝えるための使用者の手間が大きくなるとともに、誤りが生じる恐れも高くなる。このため、エラーコードは、さまざまな障害を大まかに区分したいくつかのグループに対して割り当てることが一般的である。
【０００４】
このようなエラーコードからは、障害の状況を詳細に把握することが困難であるため、保守者が蓄電システムの設置場所まで出向いて点検をしてみないと、実際の障害の内容や、その障害への対処方法が判明しなかった。
【先行技術文献】
【特許文献】
【０００５】
【特許文献１】特許第５９７８１４３号公報
【発明の概要】
【発明が解決しようとする課題】
【０００６】
本発明が解決しようとする課題は、蓄電システムを管理するための管理データの伝達を容易とする表示制御装置及びそのプログラム、並びに蓄電システムを提供することである。
【課題を解決するための手段】
【０００７】
実施形態の表示制御装置は、取得手段、生成手段及び制御手段を備える。取得手段は、蓄電システムを管理するための管理データを取得する。生成手段は、取得手段により取得された管理データを復号可能なコードシンボルを生成する。制御手段は、生成手段により生成されたコードシンボルを表示するように表示装置を制御する。
【発明の効果】
【０００８】
本発明によれば、蓄電システムを管理するための管理データの伝達を容易とする表示制御装置及びそのプログラム、並びに蓄電システムを提供できる。
【図面の簡単な説明】
【０００９】
【図１】一実施形態に係る蓄電システムの構成を示すブロック図。
【図２】図１中のプロセッサによる情報処理のフローチャート。
【図３】一例としての障害通知画面を示す図。
【発明を実施するための形態】
【００１０】
以下、実施の形態について図面を用いて説明する。なお本実施形態においては、表示制御装置としての機能を備えたコントローラを含んで構成される蓄電システムについて説明する。
【００１１】
図１は蓄電システム１の構成を示すブロック図である。
蓄電システム１は、太陽電池モジュール１１、パワーコンディショナ１２、蓄電池１３、分電盤１４及びコントローラ１５を含む。
【００１２】
太陽電池モジュール１１は、太陽光エネルギを電力に変換し、当該電力を出力する。
パワーコンディショナ１２は、太陽電池モジュール１１及び蓄電池１３から供給される直流電力を系統２から供給される交流電力と同様な交流電力にそれぞれ変換する。そしてパワーコンディショナ１２は、これら変換した２つの交流電力と系統２から供給される交流電力とのうちの１つ又は複数をある時点での入力電力とし、系統２、分電盤３、蓄電池１３及び分電盤１４のうちの少なくとも１つへと電力を供給する。なお、パワーコンディショナ１２は、複数の入力状態と複数の出力状態との組み合わせによる複数の動作モードを備える。かくしてパワーコンディショナ１２は、蓄電池の充放電を制御する充放電手段としての機能を有している。パワーコンディショナ１２は、自らの動作状況を経時的に表した運転履歴データを記録する機能を備える。運転履歴データは例えば、系統２及び太陽電池モジュール１１のそれぞれからの供給電力量、系統２への出力電力量、蓄電池１３への充電量及び充電期間、あるいは蓄電池１３からの放電量及び放電期間などを表す。また運転履歴データには、パワーコンディショナ１２の動作に何らかの障害が生じた場合は、その発生日時、発生箇所及び発生理由などが含められる。障害の発生理由は記号、数字、アルファベット等の組み合わせによってエラーコードとしてコード化しておくことが望ましい。パワーコンディショナ１２は、自らの型番及びシリアル番号などの仕様データを記憶している。なお、運転履歴データ及び仕様データにそれぞれどのような情報を含むかは、任意であり、例えば蓄電システム１又はパワーコンディショナ１２の設計者又は運転管理者などにより適宜に定められてよい。
【００１３】
蓄電池１３は、パワーコンディショナ１２から供給される電力を蓄積する。蓄電池１３は、パワーコンディショナ１２が負荷になり得るときに、蓄積している電力をパワーコンディショナ１２へと出力する。蓄電池１３は、自らの動作状況を経時的に表した運転履歴データを記録する機能を備える。運転履歴データは例えば、蓄電量の経時変化及びセル温度などを表す。運転履歴データには、蓄電池１３の動作に何らかの障害が生じた場合は、その発生日時、発生箇所及び発生理由などが含められる。障害の発生理由は記号、数字、アルファベット等の組み合わせによってエラーコードとしてコード化しておくことが望ましい。蓄電池１３は、自らの型番及びシリアル番号などの仕様データを記憶している。なお、運転履歴データ及び仕様データにそれぞれどのような情報を含むかは、任意であり、例えば蓄電システム１又は蓄電池１３の設計者又は運転管理者などにより適宜に定められてよい。
【００１４】
分電盤１４には、パワーコンディショナ１２から分電盤３を介して電力が供給されているときには、当該電力を負荷４へと配電する。分電盤１４は、系統２が停電状態である場合に、パワーコンディショナ１２から直接に供給される電力を負荷４へと配電する。なお、分電盤３は、パワーコンディショナ１２から供給される電力を、負荷５及び分電盤１４に配電する。負荷５は、パワーコンディショナ１２から分電盤３へと電力が供給される場合に限って動作する電気機器等である。これに対して負荷４は、系統２からの給電がなされている場合には、パワーコンディショナ１２から供給されて分電盤３及び分電盤１４により配電された電力により動作する電気機器等である。また負荷４は、系統２が停電状態である場合には、パワーコンディショナ１２から供給されて分電盤１４により配電された電力により動作する電気機器等である。
【００１５】
コントローラ１５は、蓄電システム１の動作に関わる利用者による各種指示に応じてパワーコンディショナ１２及び蓄電池１３の動作を制御し、その動作状況を監視する。また、コントローラ１５は、各種指示等の操作履歴を記録する。
コントローラ１５は、プロセッサ１５ａ、記憶部１５ｂ、表示部１５ｃ、入力部１５ｄ及びインタフェース１５ｅを伝送路１５ｆにより接続して構成される。
【００１６】
プロセッサ１５ａ及び記憶部１５ｂは、伝送路１５ｆにより接続されることにより蓄電システム１の制御のための情報処理を行うコンピュータを構成している。
プロセッサ１５ａは、上記のコンピュータの中枢部分に相当し、記憶部１５ｂに記憶されたオペレーティングシステム及びアプリケーションプログラムに基づき、上記の情報処理を実行する。
【００１７】
記憶部１５ｂは、上記のコンピュータの主記憶部分及び補助記憶部分に相当し、上記のオペレーティングシステム及びアプリケーションプログラムを記憶する。また記憶部１５ｂは、プロセッサ１５ａが情報処理を行う上で必要となる各種のデータを記憶している。また、記憶部１５ｂは、プロセッサ１５ａが情報処理を行う上でのワークエリアとして使用される。
【００１８】
表示部１５ｃは、利用者に対して各種の情報を通知するための表示を行う。例えば、表示部１５ｃは、利用者が蓄電池１３への操作を行うための操作画面、あるいは蓄電池１３又はパワーコンディショナ１２の動作状況を監視するための監視画面等を表示する。表示部１５ｃに表示される画面は、蓄電池１３の機能や形番によって異っても良い。表示部１５ｃとしては、液晶表示器などの周知の表示デバイスが利用できる。
入力部１５ｄは、利用者による操作に応じて各種指示を入力する。入力部１５ｄとしては、タッチパッドなどの周知の入力デバイスが利用できる。なお、本実施形態においては、入力部１５ｄは、表示部１５ｃの表示面に重ねて配置された透明なタッチパッドであるとする。つまり、表示部１５ｃ及び入力部１５ｄは、タッチパネルを構成する。
インタフェース１５ｅは、プロセッサ１５ａがパワーコンディショナ１２及び蓄電池１３とデータを授受するための通信処理を行う。
【００１９】
次に以上のように構成された蓄電システム１の動作について説明する。
この蓄電システム１では、既存の同種のシステムと同様にして、負荷４，５への給電が行われる。そしてそのための動作に従って、パワーコンディショナ１２及び蓄電池１３では、動作状況の経時的な変遷を表した上述のような運転履歴データが記録されている。
【００２０】
さて、コントローラ１５においてプロセッサ１５ａは、記憶部１５ｂに記憶されたアプリケーションプログラムに従い、以下に説明するような情報処理を実行する。
図２はプロセッサ１５ａによる情報処理のフローチャートである。なお、以下に説明する処理の内容は一例であって、同様な結果を得ることが可能な様々な処理を適宜に利用できる。
【００２１】
ステップＳａ１においてプロセッサ１５ａは、予め定められたホーム画面を表示部１５ｃに表示させる。ホーム画面は例えば、蓄電システム１の動作状況を表す画像と、蓄電システム１の動作に関わる何らかの変更を指示するためのいくつかのボタンとを表した画面とすることが想定される。
【００２２】
ステップＳａ２においてプロセッサ１５ａは、利用者による何らかの操作が入力部１５ｄにより入力されたか否かを確認する。そしてプロセッサ１５ａは、何らの操作も行われていないならばＮｏと判定し、ステップＳａ３へと進む。
ステップＳａ３においてプロセッサ１５ａは、蓄電システム１の動作に、保守が必要となる可能性のある予め定められた障害が発生したか否かを確認する。そして、該当の障害が発生していないならばＮｏと判定し、ステップＳａ２へと戻る。
かくしてプロセッサ１５ａはステップＳａ２，Ｓａ３において、操作が行われるか、あるいは障害が発生するのを待ち受ける。
【００２３】
利用者が、例えばホーム画面に表されたボタンにタッチするなどの操作を行うと、これが入力部１５ｄにより入力される。そしてこの場合にプロセッサ１５ａはステップＳａ２にてＹｅｓと判定し、ステップＳａ４へと進む。
ステップＳａ４においてプロセッサ１５ａは、記憶部１５ｂに記憶されている操作履歴データを、上記のように入力された操作に関する識別情報及び日時などの情報を表すように更新する。
【００２４】
ステップＳａ５においてプロセッサ１５ａは、上記のように入力された操作に応じた制御処理を実行する。ここで行う制御処理の内容は、本実施形態の特徴とするところではないので、その説明は省略する。なお、ここでの制御処理の結果として、表示部１５ｃにおける表示画面は、ホーム画面を含んだ様々な画面のうちの１つに変更されることがある。そしてプロセッサ１５ａは、制御処理を終えたならば、ステップＳａ２，Ｓａ３の待受状態に戻る。
【００２５】
プロセッサ１５ａは、蓄電システム１の動作に、保守が必要となる可能性のある予め定められた障害が発生すると、ステップＳａ３にてＹｅｓと判定し、ステップＳａ６へと進む。なお、該当する障害の発生を検出する機能は、例えばパワーコンディショナ１２及び蓄電池１３が、自己診断機能としてそれぞれ備える。ただし、パワーコンディショナ１２又は蓄電池１３に入出力される電流をモニタする等して障害を検知するユニットが別途設けられていてもよい。
【００２６】
ステップＳａ６においてプロセッサ１５ａは、運転履歴データ及び仕様データをパワーコンディショナ１２及び蓄電池１３から取得する。なおこのときにプロセッサ１５ａは、運転履歴データ及び仕様データの全てを必ずしも取得する必要はない。例えばプロセッサ１５ａは、最近の一定期間に関するなど、予め定められた条件に合致するデータのみを取得してもよい。
【００２７】
ステップＳａ７においてプロセッサ１５ａは、２次元コードを生成する。２次元コードとしては、一例としてＱＲコード（登録商標）が適する。本実施形態においては、２次元コードは、それをスマートフォンの２次元コード読み取り用のアプリケーションにより読み取った場合に、上記のスマートフォンが宛先及び本文又は添付ファイルをセットした状態でメーラーを起動させるコマンドを含むものとする。なお、本文又は添付ファイルは、上記の取得した運転履歴データ及び仕様データと、表示部１５ｃでの表示画面に関する情報としての画面表示データと、記憶部１５ｂに記憶されている操作履歴データとを表すものとする。なお画面表示データは例えば、障害通知画面を表示する直前に表示部１５ｃで表示していた画面がどのような画面であったかを表す。あるいは画面表示データは例えば、障害通知画面を表示する以前における表示部１５ｃでの表示画面の変遷を確認可能とする情報とする。なお、本文又は添付ファイルに表す操作履歴データは、記憶部１５ｂに記憶されているものの全てであってもよいし、一部のみであってもよい。例えばプロセッサ１５ａは、最近の一定期間に関するなど、予め定められた条件に合致する操作履歴データのみを、本文又は添付ファイルに表してもよい。また宛先は、当該メールをサービスセンターなどにおいて受信するための予め定められたメールアドレスとする。ここで運転履歴データ、仕様データ、画面表示データ及び操作履歴データは、いずれも蓄電システム１を管理するための管理データの一例である。かくしてアプリケーションプログラムに基づく情報処理をプロセッサ１５ａが実行することによって、プロセッサ１５ａを中枢部分とするコンピュータは取得手段として機能する。また２次元コードは、コードシンボルの一例である。かくしてアプリケーションプログラムに基づく情報処理をプロセッサ１５ａが実行することによって、プロセッサ１５ａを中枢部分とするコンピュータは生成手段として機能する。
【００２８】
ステップＳａ８においてプロセッサ１５ａは、障害通知画面を表示部１５ｃに表示させる。障害通知画面は、障害が発生していることを利用者に通知するための画面である。プロセッサ１５ａは、この障害通知画面に、上記の生成した２次元コードを含める。表示部１５ｃは、表示装置の一例である。かくしてアプリケーションプログラムに基づく情報処理をプロセッサ１５ａが実行することによって、プロセッサ１５ａを中枢部分とするコンピュータは制御手段として機能する。
【００２９】
図３は一例としての障害通知画面１００を示す図である。
障害通知画面１００は、文字メッセージ１０１、２次元コード１０２及びボタン１０３をそれぞれ表す。
文字メッセージ１０１は、障害が発生していることを利用者に通知するため文章を表す。２次元コード１０２は、ステップＳａ７にて生成されたものである。ボタン１０３は、障害通知画面１００の表示終了を利用者が指示するためのボタンである。なお、プロセッサ１５ａは、ステップＳａ８において文字メッセージ１０１と、２次元コードの表示を指示するボタンを表示しておき、当該ボタンが操作されたときに２次元コード１０２を表示してもよい。この場合にプロセッサ１５ａは、２次元コードの表示を指示するボタンが操作されたことに応じて、２次元コードを生成してもよい。
【００３０】
利用者は、障害通知画面１００により障害が生じていることを認識し、保守をサービスセンターに依頼したいならば、自らが所持するスマートフォン等の情報端末に２次元コード１０２を読み取らせる。そうすると、当該情報端末では、サービスセンターに運転履歴データ、仕様データ及び操作履歴データを送信するための設定がセットされた状態でメーラーが起動される。そこで利用者は、そのままでメールの送信をメーラーに対して指示すれば、運転履歴データ、仕様データ及び操作履歴データを含んだ電子メールがサービスセンターに宛てて送信される。サービスセンターでは、運転履歴データ、仕様データ及び操作履歴データを担当者が確認するか、あるいはコンピュータにより自動解析することにより、障害の発生状況を遠隔で詳細に把握することができる。そしてサービスセンターから利用者に連絡を取って対処法をアドバイスしたり、保守作業員を派遣したりすることができる。
【００３１】
ステップＳａ９においてプロセッサ１５ａは、終了指示がなされるのを待ち受ける。そしてプロセッサ１５ａは、例えば障害通知画面１００が表示されているときには、ボタン１０３をタッチする操作が入力部１５ｄにより入力されたことに応じてＹｅｓと判定し、ステップＳａ１０へと進む。
【００３２】
ステップＳａ１０においてプロセッサ１５ａは、表示部１５ｃにおける表示を、ステップＳａ８にて障害通知画面を表示させる直前に表示されていた画面に戻す。そしてプロセッサ１５ａはこののち、ステップＳａ２，Ｓａ３の待受状態に戻る。ただし、動作を停止する必要があるような障害が発生している場合等においては、ステップＳａ１０の処理は適切ではない場合もある。そこでこのようなケースでは、表示部１５ｃにおける表示を障害通知画面に固定するか、あるいは動作を継続できない旨を利用者に通知するため等の別の画面に切り換えてもよい。なお、表示部１５ｃにおける表示を障害通知画面に固定する場合は、ボタン１０３を表示しないか、グレーアウト表示とするとともにその操作を無効とすることが好ましい。
【００３３】
以上のように蓄電システム１によれば、利用者は情報端末に２次元コードを読み取らせるとともに、それにより表示されるメール送信画面でメール送信を指示するだけで、障害の発生状況を詳細に把握するための情報をサービスセンターなどに容易に伝達することが可能である。
【００３４】
この実施形態は、次のような種々の変形実施が可能である。
コントローラ１５が独立して存在し、任意のパワーコンディショナ１２及び蓄電池１３に接続されて利用される形態により実現することも可能である。
【００３５】
表示部１５ｃ及び入力部１５ｄの少なくとも一方は、コントローラ１５から独立して存在する例えば汎用のデバイスなどが、コントローラ１５に外付けされてもよい。
【００３６】
操作履歴データは、コントローラ１５に外付けされた記憶デバイス、あるいは通信ネットワークを介してプロセッサ１５ａからアクセス可能なクラウドストレージなど、任意の記憶デバイスに記憶されてもよい。
【００３７】
運転履歴データ、仕様データ及び操作履歴データのうちの少なくとも１つ又は２つを、取得しないか、あるいは２次元コードに含めないようにしてもよい。あるいは、運転履歴データ、仕様データ及び操作履歴データに加えて、あるいは代えて、これらとは異なるデータを２次元コードに含めてもよい。
【００３８】
障害が発生していない状況において、障害通知画面とは異なる画面を、２次元コードを含んだ画面として表示してもよい。例えばプロセッサ１５ａは、ステップＳａ３においては、利用者による表示指示がなされたか否かを確認し、当該指示のための操作が入力部１５ｄにより入力されたことに応じてステップＳａ６へと進むようにしてもよい。そしてプロセッサ１５ａは、ステップＳａ８においては、例えば図３に示す障害通知画面１００における文字メッセージ１０１を障害通知ではない内容に変更したような画面を表示するようにする。あるいはプロセッサ１５ａは、ステップＳａ２，Ｓａ３の待受状態において、加えて利用者による表示指示がなされたか否かの確認を行うようにしてもよい。そして当該指示がなされたことに応じて、ステップＳａ６〜ステップＳａ１０を上記のように変更した処理を実行してもよい。このようにすれば、通常の動作状態が、蓄電システム１側では障害として認識されないものの、利用者の意図する動作ではないような場合に、それを利用者がサポートセンターに問い合わせるのに役立つ。より具体的には、パワーコンディショナ１２、蓄電池１３及びコントローラ１５のファームウェアやアプリケーションプログラムは、バージョンアップなどにより更新されることがある。この更新が適切に行われなかった場合、利用者が期待する新機能が利用できないが、これは動作の障害ではない。このような場合に、上記のような変形例を用いれば、なぜ新機能が利用できないのかの問い合わせを容易に行うことが可能となる。
【００３９】
またプロセッサ１５ａは、一定の時間間隔毎などに定められた通知タイミング毎に、２次元コードを表示させてもよい。この場合に、２次元コードが表示される毎に、その２次元コードの情報端末での読み取り及びメール送信を行うことを利用上のルールとしておけば、運転履歴データ、仕様データ及び操作履歴データを定期的に繰り返し送信することが可能となる。そしてこれにより、蓄電システム１の動作状況を常に管理することが可能となる。
【００４０】
運転履歴データ、仕様データ、画面表示データ及び操作履歴データをサービスセンターなどに送信する方法は、ウェブブラウザによる所定のＵＲＬ（uniform resource locator）へのインターネットアクセスなど、電子メールを使わない任意の方法を用いてもよい。また、運転履歴データ、仕様データ、画面表示データ及び操作履歴データは、２次元コードを読み取った情報端末において利用されてもよい。なお、ウェブブラウザを用いる場合には、２次元コードに含まれるエラーコードに応じたウェブページを表示部１５ｃに表示させることにより、対処法を利用者が確認できるようにしてもよい。
【００４１】
２次元コードは、図３に示す方式のものには限られず、周知の別の方式のもの、あるいは独自の方式のものとしてもよい。また、バーコードなども含めた、任意のコードシンボルを用いることができる。コードシンボルは、それを撮影した画像から、任意のアプリケーションプログラムに基づくコンピュータの情報処理により運転履歴データ、仕様データ及び操作履歴データを抽出できるものであればよい。
【００４２】
蓄電システム１又はコントローラ１５は、典型的には図２に示す情報処理について記述したアプリケーションプログラムが記憶部１５ｂに記憶された状態で利用者に譲渡される。しかしながら、当該アプリケーションプログラムが蓄電システム１又はコントローラ１５のハードウェアとは別に、例えばバージョンアッププログラムとして利用者に譲渡され、利用者等による操作の下に記憶部１５ｂに書き込まれてもよい。この場合にアプリケーションプログラムの譲渡は、磁気ディスク、光磁気ディスク、光ディスク、半導体メモリなどのようなリムーバブルな記録媒体に記録して、あるいはネットワークを介した通信により行える。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１…蓄電システム、２…系統、３，１４…分電盤、４，５…負荷、１１…太陽電池モジュール、１２…パワーコンディショナ、１３…蓄電池、１５…コントローラ、１５ａ…プロセッサ、１５ｂ…記憶部、１５ｃ…表示部、１５ｄ…入力部、１５ｅ…インタフェース、１５ｆ…伝送路、１００…障害通知画面、１０２…２次元コード。
【図１】
2018164379.tif 000003
【図２】
2018164379.tif 000004
【図３】
2018164379.tif 000005